Podtech/llm-jp-corpus-v4-ja_patent huggingface dataset:
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
対象の網膜神経節細胞の損失または当該細胞への障害を阻害または予防するための、前記対象の眼の表面への局所投与用の眼科用組成物であって、
ＣＡＳＰ２遺伝子（配列番号１〜２）の発現を下方調節する、治療有効量の二本鎖オリゴヌクレオチド化合物を含むことを特徴とする、
組成物。
【請求項２】
請求項１に記載の組成物であって、
前記対象が人間であることを特徴とする、
組成物。
【請求項３】
請求項１または２に記載の組成物であって、
前記「網膜神経節細胞の損失または当該細胞への障害の阻害または予防」が、
当該網膜神経節細胞の損傷または死を遅延させるか、
当該網膜神経節細胞の損傷または死を予防するか、
当該網膜神経節細胞を損傷または死から救うか、および／または、
当該網膜神経節細胞の生存を促進させるか、
であることを特徴とする、
組成物。
【請求項４】
請求項１または２に記載の組成物であって、
前記「網膜神経節細胞の損失または当該細胞への障害」が、眼圧（ＩＯＰ）の上昇により仲介されることを特徴とする、
組成物。
【請求項５】
請求項１〜４のいずれか１項に記載の組成物であって、
前記対象は、
眼の疾患、障害、または損傷、または、視野損失に苦しんでいるか、または、
眼の疾患、障害、または損傷、または、視野損失を発症するリスクがある、
ことを特徴とする、
組成物。
【請求項６】
請求項１〜５のいずれか１項に記載の組成物であって、
前記「網膜神経節細胞の損失または当該細胞への障害の阻害または予防」が、前記対象に眼神経保護を提供することを特徴とする、
組成物。
【請求項７】
請求項１〜５のいずれか１項に記載の組成物であって、
前記「網膜神経節細胞の損失または当該細胞への障害の阻害または予防」が、当該対象における視野損失を予防することを特徴とする、
組成物。
【請求項８】
請求項５に記載の組成物であって、
前記「眼の疾患、障害、または損傷」が、視覚系の組織の病的異常／変化、および／または、神経変性と関連することを特徴とする、
組成物。
【請求項９】
請求項５に記載の組成物であって、
前記「眼の疾患、障害、または損傷」が、眼神経症、眼圧（ＩＯＰ）の上昇、緑内障、ドライアイ、シェーグレン症候群、糖尿病性網膜症（ＤＲ）、糖尿病性黄斑浮腫（ＤＭＥ）、加齢黄斑変性症（ＡＭＤ）、視神経炎、網膜中心静脈閉塞症、網膜静脈分岐閉塞症、虚血性視神経症、視神経損傷、未熟児網膜症（ＲＯＰ）、網膜色素変性症（ＲＰ）、網膜神経節変性症、黄斑変性症、遺伝性視神経症、レーベル遺伝性視神経症、代謝性視神経症、毒物による神経症、および、有害な薬物反応もしくはビタミン欠乏により引き起こされる神経症からなる群から選択される、
組成物。
【請求項１０】
請求項９に記載の組成物であって、
前記虚血性視神経症が、前部虚血性視神経症および／または後部虚血性視神経症を含むことを特徴とする、
組成物。
【請求項１１】
対象の網膜神経節細胞の死または障害と関連する眼の疾患、障害、または損傷の効果を予防するか、治療するか、または緩和するための、前記対象の眼の表面への局所投与用の眼科用組成物であって、
ＣＡＳＰ２遺伝子（配列番号１〜２）の発現を下方調節する、治療有効量の二本鎖オリゴヌクレオチド化合物を含むことを特徴とする、
組成物。
【請求項１２】
請求項１１に記載の組成物であって、
前記「眼の疾患、障害、または損傷」が、視覚系の組織の病的異常／変化、および／または、神経変性と関連することを特徴とする、
組成物。
【請求項１３】
請求項１１に記載の組成物であって、
前記「眼の疾患、障害、または損傷」が、眼神経症、眼圧（ＩＯＰ）の上昇、緑内障、ドライアイ、シェーグレン症候群、糖尿病性網膜症（ＤＲ）、糖尿病性黄斑浮腫（ＤＭＥ）、加齢黄斑変性症（ＡＭＤ）、視神経炎、網膜中心静脈閉塞症、網膜静脈分岐閉塞症、虚血性視神経症、視神経損傷、未熟児網膜症（ＲＯＰ）、網膜色素変性症（ＲＰ）、網膜神経節変性症、黄斑変性症、遺伝性視神経症、レーベル遺伝性視神経症、代謝性視神経症、毒物による神経症、および、有害な薬物反応もしくはビタミン欠乏により引き起こされる神経症からなる群から選択される、
組成物。
【請求項１４】
請求項１３に記載の組成物であって、
前記虚血性視神経症が、前部虚血性視神経症および／または後部虚血性視神経症を含むことを特徴とする、
組成物。
【請求項１５】
対象の網膜神経節細胞の損失または障害に関連する、眼の疾患、障害、または損傷の局所治療のための眼科用組成物であって、
（ａ）ＣＡＳＰ２遺伝子（配列番号１〜２）の発現を下方調節する、治療有効量の二本鎖オリゴヌクレオチド化合物、および、
（ｂ）薬学的に許容される賦形剤もしくは担体またはその混合物
を含むことを特徴とする、
組成物。
【請求項１６】
対象の網膜神経節細胞の生存を促進する眼科用組成物であって、
（ａ）ＣＡＳＰ２遺伝子（配列番号１〜２）の発現を下方調節する、治療有効量の二本鎖オリゴヌクレオチド化合物、および、
（ｂ）薬学的に許容される賦形剤もしくは担体またはその混合物
を含むことを特徴とする、
組成物。
【請求項１７】
請求項１５または１６に記載の組成物であって、
前記二本鎖オリゴヌクレオチド化合物が、組成物の容量で約５μｇ／μｌ〜約６０μｇ／μｌの最終濃度で存在することを特徴とする、
組成物。
【請求項１８】
請求項１５〜１７のいずれか１項に記載の組成物であって、
前記組成物が、クリーム、フォーム、ペースト、軟膏、エマルジョン、液体溶液、点眼薬、ゲル、スプレー、懸濁液、マイクロエマルジョン、マイクロスフェア、マイクロカプセル、ナノスフェア、ナノ粒子、脂質小胞、リポソーム、ポリマー小胞、パッチ、またはコンタクトレンズとして処方されることを特徴とする、
組成物。
【請求項１９】
請求項１８に記載の組成物であって、
前記組成物が、液体溶液（liquid solution）として処方されることを特徴とする、
組成物。
【請求項２０】
請求項１８に記載の組成物であって、
前記組成物が、点眼薬として処方されることを特徴とする、
組成物。
【請求項２１】
請求項１５〜１７のいずれか１項に記載の組成物であって、
前記組成物が、眼の疾患、障害、または損傷の治療に用いられることを特徴とする、
組成物。
【請求項２２】
請求項１〜１４のいずれか１項に記載の組成物であって、
前記二本鎖オリゴヌクレオチド化合物が、ｄｓＲＮＡを含むことを特徴とする、
組成物。
【請求項２３】
請求項１〜２１のいずれか１項に記載の組成物であって、
前記二本鎖オリゴヌクレオチド化合物が、化学的に修飾されたｄｓＲＮＡを含むことを特徴とする、
組成物。
【請求項２４】
対象の網膜神経節細胞の損失を阻害するための、前記対象の眼の表面への局所投与用の眼科用組成物であって、
前記網膜神経節細胞の損失と関連する標的遺伝子の発現を下方調節する、治療有効量の少なくとも１つの二本鎖オリゴヌクレオチド化合物を含むことを特徴とする、
組成物。
【請求項２５】
請求項２４に記載の組成物であって、
前記標的遺伝子が、配列番号３〜５８のいずれかに記載のｍＲＮＡであることを特徴とする、
組成物。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
液体セッケン組成物であって、
（ａ）１０から５０重量％のＣ１２−Ｃ１８脂肪酸の脂肪酸ブレンド；
（ｂ）ここで脂肪酸ブレンドの中和度は７０％から９０％の間であること；
（ｃ）１０から４０重量％の共溶媒；
（ｄ）約１８重量％未満の水；
（ｅ）３から２０重量％の皮膚軟化剤または密封油；
（ｆ）（ｉ）０．０１から１５重量％の皮膚外観増強剤および／または光学的増強剤；（ｉｉ）０．１から６０重量％のメイクアップ剤；（ｉｉｉ）０．０１から１０重量％の抗菌剤、および（ｉｖ）これらの混合物から成る群より選択される薬剤；ならびに
（ｇ）ここで（ｅ）および（ｆ）は、多価セッケンおよび／または疎水性修飾カチオン性、疎水性非イオン性ポリマーならびにこれらの混合物から選択される疎水性剤による処理によって修飾されることを含み、
ここで共溶媒（ｃ）の水（ｄ）に対する比が０．４から１０である、
組成物。
【請求項２】
共溶媒がグリセロール、エチレングリコール、プロピレングリコール、ジエチレングリコール、ジプロピレングリコールおよびこれらの混合物から選択される、請求項１に記載の組成物。
【請求項３】
油が炭化水素油、シリカ油、エステル油およびこれらの混合物から選択される極性油または非極性油である、請求項１または請求項２に記載の組成物。
【請求項４】
油が鉱油またはワセリンである、請求項１から３のいずれか一項に記載の組成物。
【請求項５】
皮膚外観増強剤が光学的増強粒子である、請求項１から４のいずれか一項に記載の組成物。
【請求項６】
粒子が雲母、タルク、チタニアおよびこれらの混合物から選択される、請求項５に記載の組成物。
【請求項７】
メイクアップ剤が酸化鉄顔料、酸化銅顔料およびこれらの混合物から選択される、請求項１から６のいずれか一項に記載の組成物。
【請求項８】
抗菌剤が無機および有機抗菌粒子から選択される、請求項１から７のいずれか一項に記載の組成物。
【請求項９】
粒子が銀、亜鉛、銅、鉄およびこれらの混合物から選択される金属粒子である、請求項８に記載の組成物。
【請求項１０】
２０から４０重量％の脂肪酸を含む、請求項１から９のいずれか一項に記載の組成物。
【請求項１１】
中和度が７５％から８５％の間である、請求項１から１０のいずれか一項に記載の組成物。
【請求項１２】
皮膚外観増強剤、メイクアップ剤または抗菌剤の被着を増強し、皮膚を液体セッケン組成物で洗浄する方法であって、該液体セッケン組成物が：
（ａ）１０から５０重量％のＣ１２−Ｃ１８脂肪酸の脂肪酸ブレンド；
（ｂ）ここで脂肪酸ブレンドの中和度は７０％から９０％であること；
（ｃ）１０から４０重量％の共溶媒；
（ｄ）約１８重量％未満の水；
（ｅ）３から２０重量％の非皮膚軟化剤または密封油；
（ｆ）０．０１から１５重量％の（ｉ）皮膚外観増強剤および／もしくは光学的増強剤；（ｉｉ）０．１から６０重量％のメイクアップ剤；または（ｉｉｉ）０．１から１０重量％の抗菌剤；ならびに
（ｇ）ここで（ｅ）および（ｆ）は、多価セッケンおよび／または疎水性修飾カチオン性、疎水性非イオン性ポリマーならびにこれらの混合物から選択される疎水性剤による処理によって修飾されること；
ここで共溶媒（ｃ）の水（ｄ）に対する比は０．４から１０であること
を含む方法。
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
ＭＭＰタンパク質切断部位と結合している血管破壊剤（ＶＤＡ）を含む化合物、またはその医薬として許容される塩。
【請求項２】
化合物が式（Ｉ）
Ｘ−Ｙ  （Ｉ）
（式中、
Ｘは血管破壊剤（ＶＤＡ）であり、
Ｙはマトリックスメタロプロテイナーゼ（ＭＭＰ）タンパク質切断部位である）で表される、請求項１に記載の化合物。
【請求項３】
ＶＤＡがチューブリン結合剤である、請求項１または２に記載の化合物。
【請求項４】
チューブリン結合剤が、チューブリンのコルヒチン結合部位と相互作用する、請求項３に記載の化合物。
【請求項５】
Ｙが、配列：
（ｉ）Ｐ３’−Ｐ２’−Ｐ１’−Ｐ１−Ｐ２−Ｐ３
（式中、Ｐ１’〜Ｐ３’およびＰ１〜Ｐ３は同じでも異なっていてもよいが、アミノ酸残基であり、タンパク質切断はＰ１とＰ１’の残基間の結合で起こる）を含む、請求項２から４のいずれか一項に記載の化合物。
【請求項６】
Ｐ１’とＰ１とが異なっている、請求項５に記載の化合物。
【請求項７】
Ｐ１’が、ロイシン、イソロイシン、メチオニン、フェニルアラニン、ホモフェニルアラニン、トリプトファンおよびバリンからなる群から選択される疎水性アミノ酸であり、Ｐ１が、アスパラギン、セリンおよびグリシンからなる群から選択される極性アミノ酸である、請求項５または６に記載の化合物。
【請求項８】
Ｐ２’が、アルギニン、アラニン、ロイシン、アスパラギン酸、チロシン、トレオニン、セリンおよびプロリンからなる群から選択される極性非荷電アミノ酸または塩基性アミノ酸である、請求項５から７のいずれか一項に記載の化合物。
【請求項９】
Ｐ３’がロイシンである、請求項５から８のいずれか一項に記載の化合物。
【請求項１０】
Ｐ２が、酸性、塩基性、疎水性および極性アミノ酸からなる群から選択される、請求項５から９のいずれか一項に記載の化合物。
【請求項１１】
Ｐ３が、グリシン、アラニン、セリン、ロイシン、イソロイシンおよびトレオニンからなる群から選択される非荷電アミノ酸である、請求項５から１０のいずれか一項に記載の化合物。
【請求項１２】
Ｙが、配列：
（ｉｉ）−Ｐ３’−Ｐ２’−Ｐ１’−Ｐ１−Ｐ２−Ｐ３−Ｐ４
（式中、Ｐ１’〜Ｐ３’およびＰ１〜Ｐ４は同じでも異なっていてもよいが、アミノ酸残基であり、タンパク質切断はＰ１’とＰ１の残基間で起こる）を含み、Ｐ４が、アルギニンおよびリジンからなる群から選択される塩基性側鎖を含むアミノ酸である、請求項５から１１のいずれか一項に記載の化合物。
【請求項１３】
Ｙが、配列：
（ｉｉｉ）Ｐ４’−Ｐ３’−Ｐ２’−Ｐ１’−Ｐ１−Ｐ２−Ｐ３−Ｐ４
（式中、Ｐ１’〜Ｐ４’およびＰ１〜Ｐ４は同じでも異なっていてもよいが、アミノ酸残基であり、タンパク質切断はＰ１’とＰ１の残基間で起こる）を含み、Ｐ４’が、リジン、システイン、セリン、チロシン、トレオニン、グルタミン酸またはアスパラギン酸からなる群から選択される求核性側鎖を有するアミノ酸である、請求項５から１２のいずれか一項に記載の化合物。
【請求項１４】
Ｙが、配列中の１または複数のアミノ酸がグリコシル化されているアミノ酸の配列を含む、請求項２から１３のいずれか一項に記載の化合物。
【請求項１５】
請求項２から１４のいずれか一項に記載の化合物を調製する方法であって、
ｉ）Ｘに結合している固体支持体を準備するステップと、
ｉｉ）場合によっては、リンカーａをＸのＣ末端またはＮ末端に結合させるステップと、
ｉｉｉ）アミノ酸残基を段階的にＸのＣ末端もしくはＮ末端、または（ｉｉ）でＸに結合させたリンカーに結合させて、ＭＭＰタンパク質切断配列を含むペプチド配列Ｙをもたらすステップと、
ｉｖ）場合によってはキャップ形成基ｃをＹのそれぞれのＣ末端またはＮ末端に結合させるステップと
を含む方法。
【請求項１６】
請求項２から１４のいずれか一項に記載の化合物を調製する方法であって、
ｉ）ペプチド配列Ｙを調製するステップと、
ｉｉ）ＹのそれぞれのＣ末端またはＮ末端にキャップ形成基ｃを結合させるステップと、
ｉｉｉ）カップリング剤の存在下でＸおよびステップ（ｉｉ）で調製されたキャップされたペプチドの溶液を調製し、所望の化合物を単離するステップと
を含む方法。
【請求項１７】
ＶＤＡの部位特異的活性化におけるＭＭＰタンパク質切断部位の使用。
【請求項１８】
医薬品で使用するための請求項１から１４のいずれか一項に記載の化合物、またはその医薬として許容される塩。
【請求項１９】
請求項１から１４のいずれかに記載の化合物、および少なくとも１種の追加の医薬として許容される添加剤、賦形剤、または担体を含む医薬製剤。
【請求項２０】
ＭＴ−ＭＭＰを過剰発現する組織に関連した疾患または病態を治療するための医薬品の製造における請求項１から１４のいずれか一項に記載の化合物の使用。
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
生きている哺乳動物の身体上又は体内での微生物バイオフィルムの治療又は予防において使用するための式Ｉ又はII：
【化１】
2012506409.tif 000001
［式中：
Ｘ1、Ｘ2、Ｘ3及びＸ4は、、独立して水素原子、親油性部分、フェニル基、低級アルキル、アルカリール若しくはアラルキル基、又は以下の式：
−Ｌ−Ｒ1−Ｎ+（Ｒ2）（Ｒ3）Ｒ4
のカチオン性基を表し、
ここにおいて：
Ｌは連結部分であるか又は存在せず；
Ｒ1は、低級アルキレン、低級アルケニレン又は低級アルキニレンを表し、これは、場
合により低級アルキル、低級アルキレン（場合により、酸素で中断される）、フルオロ、ＯＲ5、Ｃ（Ｏ）Ｒ6、Ｃ（Ｏ）ＯＲ7、Ｃ（Ｏ）ＮＲ8Ｒ9、ＮＲ10Ｒ11及びＮ+Ｒ12Ｒ13Ｒ14から選ばれる１つ又はそれ以上の置換基によって置換され；そして
Ｒ2、Ｒ3及びＲ4は、独立してＨ、アリール、低級アルキル、低級アルケニル又は低級
アルキニルを表し、そのうちの最後の３つは、場合により低級アルキル、低級アルキレン（場合により、酸素で中断される）、アリール、ＯＲ5、Ｃ（Ｏ）Ｒ6、Ｃ（Ｏ）ＯＲ7、
Ｃ（Ｏ）ＮＲ8Ｒ9、ＮＲ10Ｒ11及びＮ+Ｒ12Ｒ13Ｒ14から選ばれる１つ又はそれ以上の置
換基によって置換され、
Ｚは、−ＣＨ又はＮであり、
Ｙ1、Ｙ2、Ｙ3及びＹ4は、存在しないか、又は独立してアリール、低級アルキル、低級アルケニル若しくは低級アルキニルを表し、そのうちの最後の３つは、場合により低級アルキル、低級アルキレン（場合により、酸素で中断される）、アリール、ＯＲ5、Ｃ（Ｏ
）Ｒ6、Ｃ（Ｏ）ＯＲ7、Ｃ（Ｏ）ＮＲ8Ｒ9、ＮＲ10Ｒ11、Ｎ+Ｒ12Ｒ13Ｒ14から選ばれる
１つ若しくはそれ以上の置換基によって置換されるか、又はそれらが結合しているピロール環と共に環式基を形成してもよく、そして
Ｒ5、Ｒ6、Ｒ7、Ｒ8、Ｒ9、Ｒ10、Ｒ11、Ｒ12、Ｒ13及びＲ14は、独立してＨ又は低級
アルキルを表し、
Ｍは、金属元素又はメタロイド元素であるが、
但し、Ｘ1、Ｘ2、Ｘ3及びＸ4の少なくとも１つは、先に定義されたカチオン性基であり、そしてＸ1、Ｘ2、Ｘ3及びＸ4の少なくとも１つは、水素原子である］の化合物。
【請求項２】
Ｒ1が非置換低級アルキレン、低級アルケニレン又は低級アルキニレン基である、請求
項１に記載の化合物。
【請求項３】
Ｒ2、Ｒ3及び／又はＲ4が非置換低級アルキル基である請求項１又は２に記載の化合物。
【請求項４】
Ｘ1、Ｘ2、Ｘ3及び／又はＸ4が
【化２】
2012506409.tif 000002
［式中、各Ｒは、請求項１に定義された−Ｒ1−Ｎ+（Ｒ2）（Ｒ3）Ｒ4であり、そして「ｎ」及び「ｍ」は０から３の間の整数であり、そして「ｎ」及び「ｍ」の合計は１から３の間の整数である］である、請求項１〜３のいずれか１項に記載の化合物。
【請求項５】
Ｘ1及びＸ2が水素であり、そしてＸ3及びＸ4がカチオン性基であるか、又はＸ2及びＸ3が水素であり、そしてＸ4及びＸ1がカチオン性基である、請求項１〜４のいずれか１項に記載の化合物。
【請求項６】
以下の化合物からなる群から選択される、請求項１に記載の化合物：
５,１５−ビス−（４−｛３−［（３−ジメチルアミノプロピル）−ジメチルアンモニオ］−プロピルオキシ｝−フェニル）−ポルフィリン、
５,１５−ビス−［４−（３−トリエチルアンモニオ−プロピルオキシ）−フェニル］−ポルフィリン、
５,１５−ビス−［３−（３−トリメチルアンモニオ−プロピルオキシ）−フェニル］−ポルフィリン、
５,１５−ビス−［４−（３−トリメチルアンモニオ−プロピルオキシ）−フェニル］−ポルフィリン、
５−［３,５−ビス−（３−トリメチルアンモニオ−プロピルオキシ）−フェニル］−１５−ウンデシル−ポルフィリン、
５−｛４−［３−ジメチル−（３−ジメチルアミノプロピル）−アンモニオ−プロピル
オキシ］−フェニル｝−１５−（４−ドデシルオキシ−フェニル）−ポルフィリン、
３−［（｛３−［（３−｛４−［１５−（４−ドデシルオキシ−フェニル）−ポルフィリン−５−イル］−フェノキシ｝−プロピル）−ジメチルアンモニオ］−プロピル｝−ジメチルアンモニオ）−プロピル］−トリメチルアンモニウム、
５,１５−ビス−［３−（３−トリメチルアンモニオ−プロピルオキシ）−フェニル］−１０−ウンデシル−ポルフィリン、
５−｛４−［３−ジメチル−（３−トリメチルアンモニオ−プロピル）−アンモニオ−プロピルオキシ］−フェニル｝−１５−（４−ドデシルオキシ−フェニル）−ポルフィリン、
５−［４−（３−ジメチルデシルアンモニオプロピルオキシ）−フェニル］−１５−｛４−［３−ジ−メチル−（３−ジメチルアミノプロピル）−アンモニオプロピルオキシ］−フェニル｝−ポルフィリン、
及びそれらの塩。
【請求項７】
化合物が１５−ビス−［４−（３−トリメチルアンモニオ−プロピルオキシ）−フェニル］−ポルフィリン（「ＸＦ−７３」）若しくは５,１５−ビス−［３−（３−トリメチルアンモニオ−プロピルオキシ）−フェニル］−ポルフィリン（「ＸＦ−７０」）、又はそれらの二塩化物塩である、請求項６に記載の化合物。
【請求項８】
化合物が中心金属イオンを含む、請求項６又は７に記載の化合物。
【請求項９】
微生物バイオフィルムが細菌を含む又はからなる、請求項１〜８のいずれか１項に記載の化合物。
【請求項１０】
バイオフィルムが口腔、尿路、洞、耳、心臓、前立腺、骨、肺、腎臓又は皮膚にある、請求項１〜９のいずれか１項に記載の化合物。
【請求項１１】
バイオフィルムが体内の不活性支持体に付着している請求項１〜１０のいずれか１項に記載の化合物。
【請求項１２】
緩慢増殖期又は静止期の細菌の増殖を死滅、抑制又は予防するための請求項１〜１１のいずれか１項に定義された化合物。
【請求項１３】
請求項１〜１２のいずれか１項に記載された化合物で含浸、コーティング又は別の方法で処理された植込み型医療用デバイス。
【請求項１４】
血管内デバイス、カテーテル、シャント、挿管及び気管切開チューブ、眼科用デバイス、関節補綴、人工心臓弁及び乳房インプラントからなる群より選ばれる請求項１３に記載の植込み型医療用デバイス。
【請求項１５】
請求項１〜１２のいずれか１項に記載の化合物とバイオフィルムを接触させることを含む、微生物バイオフィルムの増殖を死滅、抑制又は予防するための、インビトロの方法。
【請求項１６】
バイオフィルムが、家庭環境、商業的又は工業的環境にある、請求項１５に記載の方法。
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
粒子状炭酸ナトリウムの存在下に、芳香族求核的置換反応によって、ポリ（アリールエーテルケトン）を製造するための方法であって、前記粒子状炭酸ナトリウムが、次の粒径分布：Ｄ９０≧４５μｍおよびＤ９０≦２５０μｍおよびＤ９９．５≦７１０μｍ、を有し、前記粒径分布が実施例において説明されているような、機械的な篩別方法によって測定される方法。
【請求項２】
前記粒子状炭酸ナトリウムが、次の粒径分布：Ｄ９０≧６３μｍ、を有する、請求項１に記載の方法。
【請求項３】
前記粒子状炭酸ナトリウムが、次の粒径分布：Ｄ９０≦２１２μｍ、を有する、請求項１または２に記載の方法。
【請求項４】
前記粒子状炭酸ナトリウムが、次の粒径分布：Ｄ９９．５≦５００μｍ、を有する、請求項１〜３のいずれか１項に記載の方法。
【請求項５】
前記粒子状炭酸ナトリウムが、次の粒径分布：Ｄ９０≧４５μｍおよびＤ９０≦１８０μｍおよびＤ９９．５≦４２５μｍ、を有する、請求項１に記載の方法。
【請求項６】
前記粒子状炭酸ナトリウムが、多くとも７５ｐｐｍの、ＣａＯとして表されるカルシウム重量含量を有する、請求項１〜５のいずれか１項に記載の方法。
【請求項７】
前記製造されたポリ（アリールエーテルケトン）が、Ｌ＊＞８７を有する、請求項１〜６のいずれか１項に記載の方法。
【請求項８】
前記製造されたポリ（アリールエーテルケトン）が、ａ＊＜２を有する、請求項１〜７のいずれか１項に記載の方法。
【請求項９】
前記ポリ（アリールエーテルケトン）が、溶媒中、かつｐ−キシレンの非存在下に製造される、請求項１〜８のいずれか１項に記載の方法。
【請求項１０】
前記ポリ（アリールエーテルケトン）が、水と共に共沸混合物を形成する一切の共溶媒の非存在下に製造される、請求項９に記載の方法。
【請求項１１】
前記ポリ（アリールエーテルケトン）がポリ（エーテルエーテルケトン）である、請求項１〜１０のいずれか１項に記載の方法。
【請求項１２】
前記ポリ（アリールエーテルケトン）がＫ２ＣＯ３の存在下に製造され、Ｋ２ＣＯ３が０．０１ｍｏｌ−Ｋ／ｍｏｌ−Ｎａ以下の比率で存在している、請求項１〜１１のいずれか１項に記載の方法。
【請求項１３】
請求項１〜１２のいずれか１項に記載の方法により製造されたポリ（アリールエーテルケトン）、および少なくとも１種のその他の成分を含む、組成物。
【請求項１４】
請求項１〜１２のいずれか１項に記載の方法によって製造されたポリ（アリールエーテルケトン）または請求項１３に記載の組成物を含む成形物品。
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
シートを形成しマトリックス樹脂を含浸させた繊維を含み、一種または複数の揮発成分を中に含む、少なくとも一つの硬化性プレプレグであって、第一の幾何学構造を有するプレプレグを用意し、
成形装置により、少なくとも一つの硬化性プレプレグを第一の幾何学構造から第ニの幾何学構造に変形して少なくとも一つの成形プレプレグを形成し、
少なくとも一つの成形プレプレグを囲いで取り囲み、ここで、少なくとも一つの成形プレプレグは成形装置によって変形させたものであり、
囲い内の少なくとも一つの成形プレプレグに隣接して囲い内に非凝縮ガスの流れを導入し、
少なくとも一つの成形プレプレグを加熱して、少なくとも一つの成形プレプレグから一種または複数の揮発成分を発生させ、
囲いから非凝縮ガスの少なくとも一部を除去し、その結果少なくとも一つの成形プレプレグから一種または複数の揮発成分が非凝縮ガスによって運び去られ、揮発成分が減少させられた成形プレプレグが形成され、
得られた揮発成分が減少させられた成形プレプレグを硬化させ、固めて、成形複合物部分を形成する
工程を含んでなる、揮発成分が減少させられた成形プレプレグを形成する方法。
【請求項２】
成形プレプレグのマトリックス樹脂の粘度がより高くなるまで、非凝縮ガスの流れが導入される、請求項１の方法。
【請求項３】
非凝縮ガスが空気、窒素、酸素、ネオン、アルゴン、メタン、エタン、エチレン、プロパン、水素またはヘリウムおよびそれらの組み合わせ物を含んでなる、請求項１の方法。
【請求項４】
非凝縮ガスの流れが約０．００１〜１００ｍｌ／秒の間にわたる速度にある、請求項１の方法。
【請求項５】
非凝縮ガスおよび揮発成分の少なくとも一部の、囲い内への導入およびそれからの除去が同時に実施される、請求項１の方法。
【請求項６】
囲いがオートクレーブまたはオーブンである、請求項１の方法。
【請求項７】
成形プレプレグのマトリックス樹脂がエポキシ化合物、エポキシ硬化剤、フェノール化合物、フェノール、シアネート、イミド、ポリイミド、エステル、ポリエステル、ベンゾキサジン、ポリベンゾキサジン、ポリベンゾキサゾン、ポリベンゾキサゾール、ポリベンズイミダゾール、ポリベンゾチアゾール、ポリアミド、ポリアミドイミド、ポリスルホン、ポリエーテル・スルホン、ポリカーボネート、ポリエチレン・テレフタレート、シアネートまたはポリエーテルケトン、それらの組み合わせ物およびそれらの前駆体のいずれかを含んでなる、請求項１の方法。
【請求項８】
マトリックス樹脂が更にエチニル、ナドマレイミド、アリルナドまたはオレフィン・エンドキャップ基を含んでなる、請求項７の方法。
【請求項９】
揮発成分が減少させられたプレプレグの形成期間中に、形成前の、少なくとも一つの成形プレプレグの総重量に基づいて１０重量％未満のマトリックス樹脂がブリードする、請求項７の方法。
【請求項１０】
成形複合物部分が、成形複合物部分の総容量に基づいて約０〜約３０容量％の多孔度を有することを特徴とする、請求項１の方法。
【請求項１１】
一種または複数の揮発成分が少なくとも一種の溶媒を含み、少なくとも一つの成形プレプレグの加熱が、少なくとも一つの成形プレプレグの温度の、成形プリプレグ内に含まれる少なくとも一種の溶媒のほぼ沸点である最終の温度への上昇を含む、請求項１の方法。
【請求項１２】
二種以上の繊維強化複合物の構成部品の間の界面内に接着剤を導入し、ここで、接着剤は一種または複数の揮発成分を含み、
二種以上の繊維強化複合物の構成部品を囲いで取り囲み、
囲い内に非凝縮ガスの流れを導入し、
二種以上の繊維強化複合物の構成部品の間の界面内の接着剤を加熱して、接着剤から一種または複数の揮発成分を発生させ、
囲いから非凝縮ガスの少なくとも一部を除去する工程、を含んでなり、
ここで、非凝縮ガスが接着剤から発生される一種または複数の揮発成分を接着剤から運び去る、
繊維強化複合物の構成部品の接着を容易にする方法。
【手続補正書】
【提出日】平成24年10月24日(2012.10.24)
【手続補正１】
【補正対象書類名】特許請求の範囲
【補正対象項目名】全文
【補正方法】変更
【補正の内容】
【特許請求の範囲】
【請求項１】
少なくとも１つの層を有する多孔性基材；
当該基材上にて実質的に不揮発性の組成物の無作為に配置された粒子であって、少なくとも１つの反応性熱可塑性または熱硬化性樹脂を含み、
実質的に不揮発性の組成物中の唯一の揮発性の成分は、残留水または残留溶媒であり、
無作為に配置された各粒子の一部が多孔性基材の第一の表面の隙間に含浸されており、
隣接して無作為に配置された粒子の間の空間が各粒子を分離している；
を含む、ドレープ性のあるポリマーが予備含浸された強化材料。
【請求項２】
前記多孔性基材として含まれる繊維強化シートの繊維は、炭素繊維、ガラス繊維、バサルト繊維、ポリマー繊維、アラミド繊維、鋼繊維、天然繊維及びそれらの組み合わせからなる群から選ばれる請求項１に記載のドレープ性のあるポリマーが予備含浸された強化材料。
【請求項３】
前記少なくとも１つの層をもつ多孔性基材の繊維は、ロービング、テープ、ウェブ、ウィーブ、二軸または多軸織物、編物、組みひも、ランダムマット、フリース及びそれらの組み合わせからなる群から選ばれるものである前記いずれかの請求項に記載のドレープ性のあるポリマーが予備含浸された強化材料。
【請求項４】
前記組成物は、エポキシ樹脂、不飽和ポリエステル樹脂、ビニルエステル樹脂、熱硬化性ポリウレタン樹脂、フェノールホルムアルデヒド樹脂（フェノール樹脂）、ポリイミド樹脂、シリコーン樹脂、架橋熱可塑性樹脂、架橋熱硬化性樹脂及びそれらの組み合わせからなる群から選ばれる前記いずれかの請求項に記載のドレープ性のあるポリマーが予備含浸された強化材料。
【請求項５】
前記架橋熱可塑性樹脂は、架橋ポリエチレン樹脂、架橋ポリプロピレン樹脂、架橋ポリ塩化ビニル樹脂、架橋ポリマーおよびそれらの組み合わせからなる群から選ばれる請求項４に記載のドレープ性のあるポリマーが予備含浸された強化材料。
【請求項６】
前記組成物が、エポキシ系、不飽和ポリエステル系であり、前記エポキシ系または不飽和ポリエステル系の熱硬化性樹脂は室温で固体である請求項４に記載のドレープ性のあるポリマーが予備含浸された強化材料。
【請求項７】
ドレープ性のあるポリマーが予備含浸された前記請求項１から６に記載の自由形状の強化材料を製造する方法であって、
鋳型の第一の表面と、その上に置かれた真空バッグと、その中に入れられたドレープ性のあるポリマーが予備含浸された自由形状の強化材料とを用意することを含む方法。
【請求項８】
前記真空バッグは、複数の真空バッグシートからなる請求項７に記載の方法。
【請求項９】
ドレープ性のあるポリマーが予備含浸された前記請求項１から６に記載の強化材料を形成するための方法であって、
少なくとも１つの層を有する多孔性基材を提供すること；
実質的に一様に配置され、実質的に完全に固体の反応性熱可塑性または熱硬化性の粒子を含む実質的に不揮発性の組成物の配列を形成することであって、該少なくとも１つの層の一部を被覆し、
該組成物の唯一の揮発性の成分が残留水または溶媒である；
実質的に完全に固体の反応性熱可塑性または熱硬化性の粒子の配列を部分的に溶融すること；
多孔性基材の少なくとも１つの層の一部の間隙に溶融物を含浸させることにより、部分的に溶融した配列を固定することであって、
少なくとも１つの層の残余の部分が配列によって被覆されないまま残すこと；
を含む、方法。
【請求項１０】
前記配列の実質的に固体の反応性熱可塑性または熱硬化性の粒子が１９０℃から２２０℃の間の温度で約５ｃｐｓ及び約５，０００ｃｐｓの間の溶融粘度を有する請求項９に記載の方法。
【請求項１１】
前記多孔性基材の少なくとも１つの層の一部における隙間内の反応性熱可塑性または熱硬化性の粒子を硬化させ、熱可塑性または熱硬化性複合シートを形成する請求項９または１０に記載の方法。
【請求項１２】
前記配列の実質的に固体の反応性熱可塑性または熱硬化性の粒子をプレカタライズし、前記反応性熱可塑性または熱硬化性樹脂の粒子は室温で固体である請求項９または１０に記載の方法。
【請求項１３】
前記配列の実質的に固体の反応性熱可塑性または熱硬化性の粒子を、形成された前記プリプレグまたは前記プリプレグから形成される複合シートに空隙が生じることを避けるために、水分または溶媒を除去するために乾燥する請求項９または１０に記載の方法。
【請求項１４】
実質的に一様に配置され、実質的に完全に固体の反応性熱可塑性または熱硬化性の粒子の配列を、粒子沈着装置により少なくとも１つの熱硬化できる熱可塑性または熱硬化性樹脂の実質的に完全に固体の粒子を沈着することによって形成する請求項９または１０に記載の方法。
【請求項１５】
前記粒子沈着装置が、粉末散布装置であり、該散布装置の沈着領域が少なくとも４．０ｍ幅である請求項１４に記載の方法。
【請求項１６】
ドレープ性のあるポリマーが予備含浸された強化材料を形成するための装置であって、
強化材料のフィーダーロール；
ドレープ性のあるポリマーが予備含浸された強化材料の受取ロール；
フィーダーロールからの強化材料を上に載せるコンベアベルト
実質的に完全に固体の反応性熱可塑性または熱硬化性の粒子を含み、実質的に不揮発性の組成物が充填された、粒子沈着ホッパーであって、
実質的に不揮発性の組成物中の唯一の揮発性の成分が残留水または溶媒である；
強化材料の少なくとも１つの表面上の実質的に不揮発性の組成物の温度を、強化材料の少なくとも１つの表面上の組成物がオーブン中に存在する滞留時間に亘って実質的に均一に維持するようにされた加熱装置；
コンベアベルトであって、
強化材料の少なくとも１つの層上に存在する組成物粒子の滞留時間がコンベアベルトの速度に基づく；
を含む装置。
【請求項１７】
前記粒子沈着ホッパーは、前記強化材料の表面積（ｍ２）に対して前記組成物の粒子の２０ｇ／ｍ２及び約２，０００ｇ／ｍ２の間を沈着するものである請求項１６に記載の装置。
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
製剤品質のマグネシウムＲ−（＋）−α−リポ酸塩の形態において元素を基準にして約５ミリグラムから約１００ミリグラムのマグネシウムの単位用量又は一人分の合剤を含んでいる、代償性インスリン耐性、非代償性インスリン耐性、関連疾患及び続発症、又は真性糖尿病、その続発症、合併症及び共存症の予防又は処置に有用な、経口的な栄養組成物及び治療組成物。
【請求項２】
ヒトにおける代償性インスリン耐性、非代償性インスリン耐性、関連疾患及び続発症、又は真性糖尿病、その続発症、合併症及び共存症を予防するか、又は処置する、補助物であって、製剤品質のマグネシウムＲ−（＋）−α−リポ酸塩の有効な量を含んでおり、その安全かつ有効な量がヒトに投与される、補助物。
【請求項３】
元素を基準にして一日あたり約５ミリグラムから約４００ミリグラムのマグネシウムを提供する水準において、上記マグネシウムＲ−（＋）−α−リポ酸塩が投与される、請求項２に記載の補助物。
【請求項４】
ヒトにおける１型真性糖尿病又は２型真性糖尿病を予防するか、又は処置する補助物であって、マグネシウムＲ−（＋）−α−リポ酸塩の有効な量を含んでおり、その安全かつ有効な量がヒトに投与される、請求項２に記載の補助物。
【請求項５】
ヒトにおける解糖に関連する代謝異常の続発症、合併症及び共存症を予防するか、又は処置する組成物であって、マグネシウムＲ−（＋）−α−リポ酸塩の安全かつ有効な量を含んでおり、ヒトに投与される、組成物。
【請求項６】
９５％を超える純度及び９５％を超えるキラル純度を有している製剤品質のマグネシウムＲ−（＋）−α−リポ酸塩を調製する方法であって、
（ａ）メタノール及びイソプロピルアルコール中において、約９５±５％のキラル純度を有している約２モル当量のマグネシウムＲ−（＋）−α−リポ酸の透明な溶液を調製し、不活性ガス及び抑えた照明の条件においてリポ酸を保存すること；
（ｂ）メタノールに溶解しているマグネシウムメトキシドの溶液の、約１モル当量のマグネシウムメトキシドに相当する体積を滴下して添加することによって、マグネシウムＲ−（＋）−α−リポ酸塩の固体の、当該溶液における懸濁液を提供すること；並びに
（ｃ）上記マグネシウムＲ−（＋）−α−リポ酸塩を単離することを包含している、方法。
【請求項７】
代償性インスリン耐性、非代償性インスリン耐性、関連疾患及び続発症、又は真性糖尿病、その続発症、合併症及びその共存症の予防又は処置のための薬剤の製造における、９５％を超える純度及び９５％を超えるキラル純度を有している製剤品質のマグネシウムＲ−（＋）−α−リポ酸塩の、使用。
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
脂肪由来細胞を移植するために使用される組成物であって、脂肪由来細胞とトリブロックコポリマーを含み、ここで該コポリマーは２つの親水性尾部が側面に配置された中心疎水性コアを含み、また該コポリマーは該細胞を損傷から保護し、細胞死を防止する、前記組成物。
【請求項２】
脂肪細胞を移植するために使用される組成物であって、脂肪細胞とポロキサマーＰ１８８を含む、前記組成物。
【請求項３】
脂肪移植片の再吸収を防止するために使用される組成物であって、脂肪由来細胞とトリブロックコポリマーを含み、ここで該コポリマーは、２つの親水性尾部が側面に配置された中心疎水性コアを含む、前記組成物。
【請求項４】
脂肪由来細胞の細胞膜を封止するための方法であって、脂肪由来細胞を、細胞膜を封止するのに十分な量のトリブロックコポリマーとin vitroで接触させることを含み、ここで該コポリマーは、２つの親水性尾部が側面に配置された中心疎水性コアを含む、前記方法。
【請求項５】
脂肪組織を移植するために使用される組成物であって、脂肪組織とトリブロックコポリマーを含み、ここで該コポリマーは２つの親水性尾部が側面に配置された中心疎水性コアを含み、また該コポリマーは該脂肪組織の細胞を損傷から保護し、細胞死を防止する、前記組成物。
【請求項６】
脂肪由来細胞とポロキサマーＰ１８８を含む組成物。
【請求項７】
ポロキサマーＰ１８８と脂肪細胞を含む組成物。
【請求項８】
ポロキサマーＰ１８８と脂肪組織を含む組成物。
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
被験体において親和性成熟抗体の産生を誘発するための組み合わせ剤であって、該組み合わせ剤は、（ｉ）該親和性成熟抗体よりも強い親和性で生殖系列抗体に結合する第一の抗原と、（ｉｉ）該生殖系列抗体よりも強い親和性で該親和性成熟抗体に結合する第二の抗原とを含み、該第一の抗原が該被験体に投与され、その後該第二の抗原が該被験体に投与されるものであることを特徴とする、組み合わせ剤。
【請求項２】
請求項１に記載の組み合わせ剤であって、ここで、前記生殖系列抗体および前記親和性成熟抗体は両方とも前記第一の抗原に結合するが、該生殖系列抗体は、前記第二の抗原よりも緊密に該第一の抗原に結合する、組み合わせ剤。
【請求項３】
請求項１〜２のいずれか１項に記載の組み合わせ剤であって、ここで、前記生殖系列抗体および前記親和性成熟抗体は両方とも前記第二の抗原に結合するが、該親和性成熟抗体は、前記第一の抗原よりも緊密に該第二の抗原に結合する、組み合わせ剤。
【請求項４】
請求項１〜３のいずれか１項に記載の組み合わせ剤であって、前記第一の抗原は前記親和性成熟抗体に対して顕著な親和性を有さず、および／または、前記第二の抗原は前記生殖系列抗体対して顕著な親和性を有さない、組み合わせ剤。
【請求項５】
請求項１〜４のいずれか１項に記載の組み合わせ剤であって、ここで、前記生殖系列抗体および前記親和性成熟抗体は両方とも、前記第一の抗原における同じエピトープに結合する、組み合わせ剤。
【請求項６】
請求項１〜５のいずれか１項に記載の組み合わせ剤であって、ここで、前記生殖系列抗体および前記親和性成熟抗体は両方とも、前記第二の抗原における同じエピトープに結合する、組み合わせ剤。
【請求項７】
請求項１〜６のいずれか１項に記載の組み合わせ剤であって、ここで、前記被験体はヒトなどの哺乳動物である、組み合わせ剤。
【請求項８】
請求項１〜７のいずれか１項に記載の組み合わせ剤であって、ここで、前記被験体は前記第一の抗原と前記第二の抗原との間に第三の抗原を受容する、組み合わせ剤。
【請求項９】
請求項１〜８のいずれか１項に記載の組み合わせ剤であって、ここで、前記生殖系列抗体は、ＶＨ１−６９重鎖を有する、組み合わせ剤。
【請求項１０】
目的の抗原に結合する目的の親和性成熟抗体を誘発する免疫処置スケジュールを設計するための方法であって、該方法は、（ｉ）該親和性成熟抗体の生殖系列起源抗体を同定する工程、および（ｉｉ）該親和性成熟抗体よりも該生殖系列起源抗体に対して高い親和性を有する抗原を同定する工程を含む、方法。
【手続補正２】
【補正対象書類名】明細書
【補正対象項目名】００１８
【補正方法】変更
【補正の内容】
【００１８】
適切な第一のおよび第二の抗原を選択するために、本発明は典型的に、反対に使用され、すなわち、目的の抗原を認識する目的の親和性成熟抗体で開始する。成熟抗体の起源を、関連生殖系列抗体まで遡り、その後、生殖系列抗体の産生を効率的に刺激する第一の抗原を選択する。その後、目的の抗原が、この生殖系列抗体の成熟を刺激するために投与され得る。本発明は、この反対のプロセスを必要としないが、これは事が進行する通例の方法である。したがって、本発明はまた、目的の抗原に結合する目的の親和性成熟抗体を誘発するための免疫処置スケジュールを設計するための方法を提供し、この方法は、（ｉ）親和性成熟抗体の生殖系列起源抗体を同定する工程、および（ｉｉ）親和性成熟抗体よりも生殖系列起源抗体に高い親和性を有する抗原を同定する工程を含む。工程（ｉｉ）で同定された抗原は第一の抗原として使用され得、目的の抗原は第二の抗原として使用され得る。
本発明はまた、以下の項目を提供する。
（項目１）
被験体において親和性成熟抗体の産生を誘発するための方法であって、該方法は、（ｉ）該被験体に、該親和性成熟抗体よりも強い親和性で生殖系列抗体に結合する第一の抗原を投与する工程、およびその後の、（ｉｉ）該被験体に、該生殖系列抗体よりも強い親和性で該親和性成熟抗体に結合する第二の抗原を投与する工程を含む、方法。
（項目２）
項目１に記載の方法であって、ここで、上記生殖系列抗体および上記親和性成熟抗体は両方とも上記第一の抗原に結合するが、該生殖系列抗体は、上記第二の抗原よりも緊密に該第一の抗原に結合する、方法。
（項目３）
前述の項目のいずれかに記載の方法であって、ここで、上記生殖系列抗体および上記親和性成熟抗体は両方とも上記第二の抗原に結合するが、該親和性成熟抗体は、上記第一の抗原よりも緊密に該第二の抗原に結合する、方法。
（項目４）
前述の項目のいずれかに記載の方法であって、上記第一の抗原は上記親和性成熟抗体に対して顕著な親和性を有さず、および／または、上記第二の抗原は上記生殖系列抗体対して顕著な親和性を有さない、方法。
（項目５）
前述の項目のいずれかに記載の方法であって、ここで、上記生殖系列抗体および上記親和性成熟抗体は両方とも、上記第一の抗原における同じエピトープに結合する、方法。
（項目６）
前述の項目のいずれかに記載の方法であって、ここで、上記生殖系列抗体および上記親和性成熟抗体は両方とも、上記第二の抗原における同じエピトープに結合する、方法。
（項目７）
前述の項目のいずれかに記載の方法であって、ここで、上記被験体はヒトなどの哺乳動物である、方法。
（項目８）
前述の項目のいずれかに記載の方法であって、ここで、上記被験体は上記第一の抗原と上記第二の抗原との間に第三の抗原を受容する、方法。
（項目９）
前述の項目のいずれかに記載の方法であって、ここで、上記生殖系列抗体は、ＶＨ１−６９重鎖を有する、方法。
（項目１０）
目的の抗原に結合する目的の親和性成熟抗体を誘発する免疫処置スケジュールを設計するための方法であって、該方法は、（ｉ）該親和性成熟抗体の生殖系列起源抗体を同定する工程、および（ｉｉ）該親和性成熟抗体よりも該生殖系列起源抗体に対して高い親和性を有する抗原を同定する工程を含む、方法。
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
ＧＡＢＡアゴニストおよび水中油型キャリアを含む医薬組成物。
【請求項２】
前記ＧＡＢＡアゴニストはトピラマートである、請求項１に記載の医薬組成物。
【請求項３】
医薬組成物は０．１％〜７．５％（ｗ／ｗ）の前記トピラマートを含む、請求項２に記載の医薬組成物。
【請求項４】
医薬組成物は０．５％〜５．０％（ｗ／ｗ）の前記トピラマートを含む、請求項３に記載の医薬組成物。
【請求項５】
前記水中油型キャリアは、クリーム、ゲルクリーム、エマルションおよびフォームとして配合される、請求項１に記載の医薬組成物。
【請求項６】
前記医薬組成物は保湿用薬剤を含む、請求項１に記載の医薬組成物。
【請求項７】
前記医薬組成物は皮膚浸透強化剤を含む、請求項１に記載の医薬組成物。
【請求項８】
前記クリームは、水、白色ワセリン、セトステアリルアルコール、流動パラフィンおよびラウリル硫酸ナトリウムを含む、請求項５に記載の医薬組成物。
【請求項９】
前記クリームは、水、ジメチコーン、ステアリン酸、ミリスチン酸イソプロピル、鉱油、グリセリン、ステアリン酸グリセリル、セチルアルコール、ペンテノールおよびＴＥＡを含む、請求項５に記載の医薬組成物。
【請求項１０】
前記水中油型キャリアは、スクレロチウムガム、キサンタンガム、アルギン酸ナトリウム、カルボマー、セルロースエーテルまたはアクリラートポリマーからなる群から選択される水溶性ポリマーを含む、請求項５に記載の医薬組成物。
【請求項１１】
前記フォームは、水、鉱油、ミリスチン酸イソプロピル、ＭＣＴオイル、モノステアリン酸グリセリル、ステアリルアルコール、キサンタンガム、メトセルＫ１０００Ｍ、ＴＷＥＥＮ８０、ＭＹＲＪ４９ｐ、グリコフロール、ココアミドプロピルベタイン、フェノニプ、ブタンを含む、請求項５に記載の医薬組成物。
【請求項１２】
前記ＧＡＢＡアゴニストはトピラマートである、請求項１に記載の医薬組成物。
【請求項１３】
角膜適用のために配合される、ＧＡＢＡアゴニストを含む医薬組成物。
【請求項１４】
トピラマートおよび水中油型キャリアを含む医薬組成物と、前記医薬組成物を上皮組織に関連する障害の処置に使用するものであることが確認されている包装材とを含む製造物。
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
ランダム・コポリマーおよび放射線添加剤を含んでなるポリマー組成物であって、ここでランダム・コポリマーはプロピレンを含み、融点が１４０〜１５０℃であり、２重量％未満のエチレンを含んでなり、そして約３０〜１００ｄｇ／分の溶融流量を示し、ポリマー組成物は約１６０ｋｐｓｉ〜約２００ｋｐｓｉの曲げ弾性率を示し、そしてポリマー組成物は低いプレートアウト、１５％以下の、２０ｍｉｌｓにおける曇り度、放射線安定性およびオートクレーブ処理能を示すポリマー製品を生成するようになっている、組成物。
【請求項２】
ポリマー組成物が、ＡＳＴＭ  Ｄ５４９２−０６により測定される約１％未満のキシレン可溶物（ｓｏｌｕｂｌｅ）を含んでなる、請求項１の組成物。
【請求項３】
ランダム・コポリマーが約３０ｄｇ／分〜約６０ｄｇ／分の溶融流量を示す、請求項１の組成物。
【請求項４】
更に透明剤、核剤およびそれらの組み合わせ物から選択される作用剤を含んでなる、請求項１の組成物。
【請求項５】
作用剤が１，３：２，４−ビス（３，４−ジメチルベンジリデン）ソルビトール；アルミニウム、ヒドロキシビス［２，４，８，１０−テトラキス（１，１−ジメチルエチル）−６−ヒドロキシ−１２Ｈ−ジベンゾ［ｄ，ｇ］［１，３，２］ジオキサフォスホシン６−オキシダト」；７１（２，２’−メチレンビス（２，６−ジ−ｔｅｒｔ−ブチルフェニル）ホスフェート・リチウム塩）；ノニトール、１，２，３−トリデオキシ−４，６：５，７−ビス−ｏ−［（４−プロピルフェニル）メチレン］；（１，３，５−トリスアミド誘導体）およびそれらの組み合わせ物から選択される、請求項４の組成物。
【請求項６】
放射線添加剤が（ポリ［［６−［１，１，３，３−テトラメチルブチル）アミノ］−ｓ−トリアジン−２，４−ジイル］［（２，２，６，６−テトラメチル−４−ピペリジル）イミノ］ヘキサメチレン｛（２，２，６，６−テトラメチル−４−ピペリジル）イミノ）］；（４−ヒドロキシ−２，２，６−テトラメチル−１−ピペリジンエタノール）およびそれらの組み合わせ物から選択される、請求項１の組成物。
【請求項７】
放射線添加剤が二種以上の放射線添加剤を含んでなる、請求項１の組成物。
【請求項８】
組成物が約０．２重量％〜約０．１５重量％の放射線添加剤を含んでなる、請求項１の組成物。
【請求項９】
組成物が約０．２重量％〜約０．４重量％の物質を含んでなる、請求項５の組成物。
【請求項１０】
請求項１の組成物を含んでなる成形品。
【請求項１１】
成形品が、低いプレートアウト、１５％以下の、２０ｍｉｌｓにおける曇り度、放射線安定性およびオートクレーブ処理能を示す、請求項１０の成形品。
【請求項１２】
ランダム・コポリマーがメタロセン触媒を使用して生成される、請求項１の組成物。
【請求項１３】
メタロセン触媒がＳｉＭｅ2（２−メチル−４−フェニルインデニル）2ＺｒＣｌ2である、請求項１２の組成物。
【請求項１４】
製品が医療等級の製品である、請求項１０の製品。
【請求項１５】
医療等級の製品がピペットの先端、遠心分離管、反応槽、タンパク質アッセイトレー、培養管、シリンジ、ペトリ皿およびそれらの組み合わせ物から選択される、請求項１４の医療等級製品。
【請求項１６】
製品がピペット使用後にピペット中の流体残留を最少にする表面張力を有する、請求項１０の製品。
【請求項１７】
製品が流体の６回の通過後に流体を全く保持しない、請求項１６の製品。
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
複数のプレプレグを積み重ねてプレプレグ・レイアップを形成し、ここで、各プレプレグはマトリックス樹脂で含浸された繊維を含む、
ここで、少なくともいくつかのプレプレグは穿孔を有し、穿孔は、有孔プレプレグ内に捕捉されたガスがプレプレグ・レイアップを抜けることができるような形態をとっている、および
熱、真空または圧力の少なくとも１つを適用してプレプレグ・レイアップを強固化し、ここで、プレプレグ内のマトリックス樹脂がプレプレグ内またはプレプレグ間の空隙空間内に流れる、
工程を含む、繊維強化複合物を形成する方法。
【請求項２】
一つ以上の有孔プレプレグが部分的に含浸される、請求項１の方法。
【請求項３】
強固化されたプレプレグ・レイアップが複合物の総容量に基づき１０容量％未満の多孔率を有する、請求項１の方法。
【請求項４】
穿孔が、プレプレグにエネルギーを伝達して、プレプレグの厚さを通して特定の距離だけ伸長する１つまたは複数の穿孔を形成する工程により形成される、
請求項１の方法。
【請求項５】
エネルギーがピンプレスの形状で伝達されて、プレプレグの厚さを通して特定の距離だけ外面からプレプレグを貫通する、請求項４の方法。
【請求項６】
エネルギーが超音波圧力波の形状で伝達される、請求項４の方法。
【請求項７】
エネルギーが熱エネルギーの適用により伝達される、請求項４の方法。
【請求項８】
平均して、１．０ｃｍ2のプレプレグ当たり、少なくとも１つの穿孔が存在する、請求項４の方法。
【請求項９】
有孔プレプレグ・レイアップであって、
互いに隣接して設置された複数のプレプレグ、ここで、各プレプレグがマトリックス樹脂で含浸された繊維を含む、
ここで、少なくともいくつかのプレプレグは穿孔を有し、穿孔は、有孔プレプレグ内に捕捉されたガスがプレプレグ・レイアップを抜けることができるような形態をとり、平均して、有孔プレプレグの２０平方センチメーター当たり少なくとも１個存在する、
を含む有孔プレプレグ・レイアップ。
【請求項１０】
穿孔が約１００μｍ〜約５００μｍの孔径を有し、有孔プレプレグ１平方センチメーター当たり約２個の穿孔密度で存在する、請求項９の有孔プレプレグ・レイアップ。
【請求項１１】
各プレプレグ中の繊維が一方向に整列している、請求項９の有孔プレプレグ・レイアップ。
【請求項１２】
マトリックス樹脂の粘度がおよそ室温において約１，０００，０００ｃｐを超え、穿孔を含む有孔プレプレグ内の空隙空間中へのマトリックス樹脂の流入を容易にするために、強固化期間中、マトリックス樹脂の粘度が約３００，０００ｃｐ未満であることを特徴とする、請求項１の方法。
【請求項１３】
穿孔が貫通孔、穴、微細孔、割れ目、細長い孔、透き間およびそれらの組み合わせ物を含んでなることを特徴とする、請求項１の方法。
【請求項１４】
穿孔が有孔プレプレグの厚さを通って伸長することを特徴とする、請求項１の方法。